(57)【要約】【課題】サーバを必要とせずに、ＧＰＳ端末のログを管理する。【解決手段】ＧＰＳ（Ｇｌｏｂａｌ  Ｐｏｓｉｔｉｏｎｉｎｇ  Ｓｙｓｔｅｍ）端末１と携帯端末３が、一般的な通信回線１００，１０１，１０２を介して通信し、ＧＰＳ端末１が、発生したイベントに応じたメッセージを含む電子メールを、予め設定された電子メールアドレスに対して送信する。そして、前記電子メールアドレスに応じた携帯端末３が、前記メッセージを含む電子メールを受信する。【選択図】図１
2009251928.tif 000002
【特許請求の範囲】
【請求項１】
１つ以上のＧＰＳ（Ｇｌｏｂａｌ  Ｐｏｓｉｔｉｏｎｉｎｇ  Ｓｙｓｔｅｍ）端末と１つ以上の携帯端末が通信回線を介して通信し、該ＧＰＳ端末を管理する移動体管理システムであって、
前記ＧＰＳ端末のうち少なくとも一つは、そのＧＰＳ端末内で発生するイベントに応じたメッセージを含む電子メールを、予め設定された電子メールアドレスに対して送信するメッセージ送信手段を備え、
前記電子メールアドレスに応じた携帯端末は、前記メッセージを含む電子メールを受信する手段を備えた、
ことを特徴とする移動体管理システム。
【請求項２】
前記携帯端末が、
前記ＧＰＳ端末内の特定のイベントに応じたメッセージを含む電子メールを受信し、内容が空の電子メールである空メールを返信し、
緯度経度を含む電子メールを受信し、その緯度経度を前記通信回線上に存在する地図表示サービスサーバに送信し、その緯度経度に基づく地図情報を取得し、
前記ＧＰＳ端末が、
空メールを受信し、その空メールの送信元電子メールアドレスを確認し、その空メールの送信元電子メールアドレスと同じものが、予め設定された電子メールアドレスに存在する場合、予め取得した測位情報から緯度経度を取り出し、その緯度経度を含む電子メールを、その空メールの送信元電子メールアドレスに対して送信する、
ことを特徴とする請求項１に記載の移動体管理システム。
【請求項３】
前記ＧＰＳ端末が、
特定地点の緯度経度を含む領域であるゾーンに、そのＧＰＳ端末自身が入ったか否かを定期的にチェックし、
そのＧＰＳ端末自身がゾーンに入った場合、ゾーンに関するイベントが発生したものと見做し、
前記メッセージ送信手段におけるイベントが、ゾーンに関するイベントであった場合、該ゾーンに関するイベントに応じたメッセージを電子メールに含ませる、
ことを特徴とする請求項１または２に記載の移動体管理システム。
【請求項４】
ＧＰＳ端末と携帯端末が通信回線を介して通信し、該ＧＰＳ端末を管理する移動体管理方法であって、
前記ＧＰＳ端末が、そのＧＰＳ端末内で発生したイベントに応じたメッセージを含む電子メールを、予め設定された電子メールアドレスに対して送信するメッセージ送信ステップと、
前記電子メールアドレスに応じた携帯端末が、前記メッセージを含む電子メールを受信するステップと、
を有することを特徴とする移動体管理方法。
【請求項５】
前記ＧＰＳ端末内の特定のイベントに応じたメッセージを含む電子メールを受信した携帯端末が、内容が空の電子メールである空メールを返信するステップと、
前記空メールを受信したＧＰＳ端末が、その空メールの送信元電子メールアドレスを確認し、その空メールの送信元電子メールアドレスと同じものが、予め設定された電子メールアドレスに存在する場合、
予め取得した測位情報から緯度経度を取り出し、その緯度経度を含む電子メールを、その空メールの送信元電子メールアドレスに対して送信するステップと、
前記緯度経度を含む電子メールを受信した携帯端末が、その緯度経度を前記通信回線上に存在する地図表示サービスサーバに送信し、その緯度経度に基づく地図情報を取得するステップと、
を有することを特徴とする請求項４に記載の移動体管理方法。
【請求項６】
前記ＧＰＳ端末が、特定地点の緯度経度を含む領域であるゾーンに、そのＧＰＳ端末自身が入ったか否かを定期的にチェックするステップと、
前記ＧＰＳ端末が、そのＧＰＳ端末自身がゾーンに入った場合、ゾーンに関するイベントが発生したものと見做すステップと、
前記メッセージ送信ステップにおけるイベントが、ゾーンに関するイベントであった場合、
前記ＧＰＳ端末が、該ゾーンに関するイベントに応じたメッセージを電子メールに含ませるステップと、
を有することを特徴とする請求項４または５に記載の移動体管理方法。
【発明の詳細な説明】
【技術分野】
【０００１】
本発明は、ＧＰＳを使った移動体管理技術に関するものである。
【背景技術】
【０００２】
現在、ＧＰＳ（Ｇｌｏｂａｌ  Ｐｏｓｉｔｉｏｎｉｎｇ  Ｓｙｓｔｅｍ）を使ったサーバクライアント方式の移動体管理システムは、広く知られている。
【０００３】
このＧＰＳを使ったサーバクライアント方式の移動体管理システムの一例を図２に基づいて説明する。
【０００４】
図２における移動体管理システムでは、ＧＰＳ端末（例えば、小型の車載型ＧＰＳ端末）１を複数台有するものとする。なお、ＧＰＳ端末１が図２における移動体管理システムのクライアントと考えて良い。
【０００５】
ＧＰＳ端末１の構成の一例を図３に基づいて説明する。なお、図３は、ＧＰＳ端末１の構成概略図である。ＧＰＳ端末１は、不揮発性記憶部（例えば、ＦＬＡＳＨ−ＲＯＭ（ＦＬＡＳＨ  Ｒｅａｄ  Ｏｎｌｙ  Ｍｅｍｏｒｙ））１ａ，揮発性記憶部（例えば、ＲＡＭ）１ｂ，演算を行い各部を制御する制御部（例えば、ＣＰＵ（Ｃｅｎｔｒａｌ  Ｐｒｏｃｅｓｓｉｎｇ  Ｕｎｉｔ），ＯＳ（Ｏｐｅｒａｔｉｎｇ  Ｓｙｓｔｅｍ）など）１ｃ，ＧＰＳから位置情報を受信するＧＰＳモジュール１ｄ，拡張インタフェース部（例えば、ＣＦ（Ｃｏｍｐａｃｔ  Ｆｌａｓｈ）スロット）１ｅを備える。なお、ＯＳは、不揮発性記憶部に記憶されていても良い。
【０００６】
そのＧＰＳ端末１は、ＧＰＳから得られる位置情報などを制御部１ｃが処理し、さらに、付加情報を加えた後、拡張インタフェース部１ｅに接続可能なインタフェースを有する通信装置（例えば、ＣＦ型通信カード）１ｆを使って、移動体通信網１００経由でサーバ２へ前記位置情報等を送信する。
【０００７】
次に、サーバ２は、移動体通信網１００，ＡＤＳＬ（Ａｓｙｍｍｅｔｒｉｃ  Ｄｉｇｉｔａｌ  Ｓｕｂｓｃｒｉｂｅｒ  Ｌｉｎｅ）や光回線などのインターネットまたは専用線などの通信回線１０２などを介して、ＧＰＳ端末１から位置情報等を受信（取得）する。なお、移動体通信網１００と通信回線１０２間は、通信回線業者が提供する接続サービス１０１を使用するものとする。
【０００８】
そして、サーバ２は、受信した位置情報等を使って、地図情報上に現在位置表示およびデータベースへの保存等の処理を行う。
【０００９】
さらに、上述のサーバクライアント方式の移動体管理システムを詳細に説明する。
【００１０】
上述のＧＰＳモジュール１ｄは、ＧＰＳ衛星からのデータを、ＧＰＳモジュール本体に接続された外部ＧＰＳアンテナで受信し、受信したデータに基づいて自身（ＧＰＳ端末）の現在位置等を計算し、ＧＰＳ端末１の制御部１ｃへ測位状態の位置情報（以下、測位情報と呼ぶ）を特定の測位時間間隔（例えば、１秒間隔）で出力している。
【００１１】
但し、ＧＰＳモジュール１ｄが自身の現在位置を計算で求めるためには、最低３個のＧＰＳ衛星を必要とし、３個以上のＧＰＳ衛星を捕捉できない場合は、その現在位置を計算できない理由を示す未測位時の位置情報（以下、未測位情報と呼ぶ）を特定の未測位時間間隔（例えば、５秒間隔）で出力している。なお、３個のＧＰＳ衛星を補足できても、ＧＰＳ衛星の配置によっては、現在位置を計算できない場合もある。
【００１２】
ＧＰＳ端末１に拡張インタフェース部（例えば、ＣＦスロット）１ｅに認識可能な通信装置（例えば、ＣＦ型通信カード）１ｆが接続されている場合は、予め不揮発性記憶部（例えば、ＦＬＡＳＨ−ＲＯＭ）１ａに保存してある接続情報に従い、移動体通信網１００，通信回線１０２，接続サービス１０１を利用して、サーバ２（例えば、遠隔地に設置されたサーバ２）に接続し、位置情報の送信を行う。
【００１３】
このＧＰＳ端末１とサーバ２間の接続手順は、ＧＰＳ端末１からサーバ２へ接続要求を行い、ＧＰＳ端末１の接続要求が接続条件を満たしている場合にのみ、サーバ２がＧＰＳ端末１へ接続許可と初期設定に必要な情報を送信する。この接続許可と初期設定情報を受信して初めて、ＧＰＳ端末１は、サーバ２に対して、位置情報の送信を開始する。
【００１４】
位置情報を受信したサーバ２は、後でログ表示として地図情報上に軌跡表示できるようにするために、受信した位置情報を管理する。例えば、サーバ２は、予めインストールされたデータベース管理ソフトウェアを使ってデータベースに受信した位置情報を保存する。さらに、サーバ２は、その位置情報に基づいた現在位置を、予め保有していた地図情報にリアルタイムで表示（以下、リアルタイム表示と呼ぶ）する。
【００１５】
サーバ２にインストールされたアプリケーションプログラムは、位置情報の受信，配信，保存を行うアプリケーションプログラム（以下、ＤＢ（Ｄａｔａｂａｓｅ）管理サーバと呼ぶ）と、そのＤＢ管理サーバから位置情報を取得し、地図情報上にリアルタイム表示またはログ表示するアプリケーションプログラム（以下、地図表示クライアントと呼ぶ）から構成されている。また、地図表示クライアントは、ＤＢ管理サーバと同一のＰＣ（Ｐｅｒｓｏｎａｌ  Ｃｏｍｐｕｔｅｒ）上で動作させる方法とネットワーク経由で接続して動作させる方法の２通りの使用方法が適用可能（もちろん、併用も可能）となっている。
【００１６】
また、上述の移動体管理システムとは異なり、サーバクライアント方式でない移動体管理システムも存在し、例えば、ＧＰＳから供給された位置情報と電子地図における座標範囲の位置関係に応じて、警告メッセージを特定のアドレス情報に基づいて送信する携帯情報端末（例えば、特許文献１参照）も知られている。
【特許文献１】特開２００７−１４０８３０号公報（段落［００１０］〜［００２３］等）。
【発明の開示】
【発明が解決しようとする課題】
【００１７】
上述のようにＧＰＳ端末の位置情報を遠隔地に設置されたサーバを使ってリアルタイム表示やログ表示させるためには、たとえＧＰＳ端末が１台であっても、ＧＰＳ端末と通信を行うためのサーバ（例えば、パーソナルコンピュータ）を必要とし、さらに、ＤＢ管理サーバ，地図表示クライアント，地図情報を該サーバ内へインストールする作業と環境設定作業を必要とする。そのため、上述のような移動体管理システムを構築する際は、多くの設備と作業の費用を必要とした。
【００１８】
また、利用者の望む情報がＧＰＳ端末の起動時刻や現地の到着時刻などの限られた情報だけであったとしても、上述のようなサーバを必要とする。
【００１９】
加えて、使用するサーバは、ＧＰＳ端末の起動状態に関係なく、常にＧＰＳ端末と接続可能な状態にしておく必要がある。そのため、サーバの稼動費用も増大することになる。
【００２０】
本発明は、前記課題に基づいてなされたものであり、上述のサーバやプログラムなどを必要とせずに、ＧＰＳ端末のログを管理する移動体管理システム及び移動体管理方法を提供することにある。
【課題を解決するための手段】
【００２１】
前記課題の解決を図るために、請求項１記載の発明は、１つ以上のＧＰＳ端末と１つ以上の携帯端末が通信回線を介して通信し、該ＧＰＳ端末を管理する移動体管理システムであって、前記ＧＰＳ端末のうち少なくとも一つは、そのＧＰＳ端末内で発生するイベントに応じたメッセージを含む電子メールを、予め設定された電子メールアドレスに対して送信するメッセージ送信手段を備え、前記電子メールアドレスに応じた携帯端末は、前記メッセージを含む電子メールを受信する手段を備えた、ことを特徴とする。
【００２２】
請求項２記載の発明は、請求項１に記載の発明において、前記携帯端末が、前記ＧＰＳ端末内の特定のイベントに応じたメッセージを含む電子メールを受信し、内容が空の電子メールである空メールを返信し、緯度経度を含む電子メールを受信し、その緯度経度を前記通信回線上に存在する地図表示サービスサーバに送信し、その緯度経度に基づく地図情報を取得し、前記ＧＰＳ端末が、空メールを受信し、その空メールの送信元電子メールアドレスを確認し、その空メールの送信元電子メールアドレスと同じものが、予め設定された電子メールアドレスに存在する場合、予め取得した測位情報から緯度経度を取り出し、その緯度経度を含む電子メールを、その空メールの送信元電子メールアドレスに対して送信する、ことを特徴とする。
【００２３】
請求項３記載の発明は、請求項１または２に記載の発明において、前記ＧＰＳ端末が、特定地点の緯度経度を含む領域であるゾーンに、そのＧＰＳ端末自身が入ったか否かを定期的にチェックし、そのＧＰＳ端末自身がゾーンに入った場合、ゾーンに関するイベントが発生したものと見做し、前記メッセージ送信手段におけるイベントが、ゾーンに関するイベントであった場合、該ゾーンに関するイベントに応じたメッセージを電子メールに含ませる、ことを特徴とする。
【００２４】
請求項４記載の発明はＧＰＳ端末と携帯端末が通信回線を介して通信し、該ＧＰＳ端末を管理する移動体管理方法であって、前記ＧＰＳ端末が、そのＧＰＳ端末内で発生したイベントに応じたメッセージを含む電子メールを、予め設定された電子メールアドレスに対して送信するメッセージ送信ステップと、前記電子メールアドレスに応じた携帯端末が、前記メッセージを含む電子メールを受信するステップと、を有することを特徴とする。
【００２５】
請求項５記載の発明は、請求項４に記載の発明において、前記ＧＰＳ端末内の特定のイベントに応じたメッセージを含む電子メールを受信した携帯端末が、内容が空の電子メールである空メールを返信するステップと、前記空メールを受信したＧＰＳ端末が、その空メールの送信元電子メールアドレスを確認し、その空メールの送信元電子メールアドレスと同じものが、予め設定された電子メールアドレスに存在する場合、予め取得した測位情報から緯度経度を取り出し、その緯度経度を含む電子メールを、その空メールの送信元電子メールアドレスに対して送信するステップと、前記緯度経度を含む電子メールを受信した携帯端末が、その緯度経度を前記通信回線上に存在する地図表示サービスサーバに送信し、その緯度経度に基づく地図情報を取得するステップと、を有することを特徴とする。
【００２６】
請求項６記載の発明は、請求項４または５に記載の発明において、前記ＧＰＳ端末が、特定地点の緯度経度を含む領域であるゾーンに、そのＧＰＳ端末自身が入ったか否かを定期的にチェックするステップと、前記ＧＰＳ端末が、そのＧＰＳ端末自身がゾーンに入った場合、ゾーンに関するイベントが発生したものと見做すステップと、前記メッセージ送信ステップにおけるイベントが、ゾーンに関するイベントであった場合、前記ＧＰＳ端末が、該ゾーンに関するイベントに応じたメッセージを電子メールに含ませるステップと、を有することを特徴とする。
【００２７】
前記請求項１，４記載の発明によれば、ＧＰＳ端末で発生したイベントを含む電子メールをログとして携帯端末で閲覧できる。
【００２８】
前記請求項２，５記載の発明によれば、ＧＰＳ端末の位置する緯度経度に応じた地図情報を取得できる。
【００２９】
前記請求項３，６記載の発明によれば、ＧＰＳ端末で発生したゾーンに関するイベントを含む電子メールをログとして携帯端末で閲覧できる。
【発明の効果】
【００３０】
以上示したように請求項１，４の発明によれば、ＧＰＳ端末と携帯端末と既存ネットワークサービス（電子メールサービス）で、該ＧＰＳ端末で発生したイベントを監視できる。そのため、システム構築及び稼動費用を抑えることができる。
【００３１】
請求項２，５の発明によれば、ＧＰＳ端末の位置する緯度経度に応じた地図情報を視認できる。
【００３２】
請求項３，６の発明によれば、ＧＰＳ端末と携帯端末だけで、該ＧＰＳ端末で発生したゾーンに関するイベントを監視できる。
【００３３】
これらを以って移動体管理技術の分野に貢献できる。
【発明を実施するための最良の形態】
【００３４】
本実施形態は、ＧＰＳを使って位置情報を取得し、電子メールを使って位置情報をリアルタイムに表示させ、さらに、位置情報の記録を示すログを提示する移動体管理システムである。なお、本実施形態における電子メールは、例えば、ＲＦＣ（Ｒｅｑｕｅｓｔ  ｆｏｒ  Ｃｏｍｍｅｎｔｓ）等の規格に準拠する電子メールと考えて良い。
【００３５】
以下、本発明の実施形態における移動体管理システムを図面等に基づいて詳細に説明する。
【００３６】
まず、本実施形態における移動体管理システムで使用する地図情報上の特定地点を含む領域（以下、ゾーンという）の一例を図４に基づいて説明する。
【００３７】
図４中のように、地図情報上の目的地点Ｐの緯度経度（即ち、地図情報上の座標）と、ＧＰＳの精度を考慮した距離ＬBを設定する。この時に設定されるゾーンは、目的地点Ｐを中心とし、その目的地点Ｐから東西南北方向に伸ばした線分（距離ＬB）に対して垂直な辺を有する正方形領域Ｑとなる。即ち、ゾーン情報は、特定地点の緯度経度と距離を有する情報である。
【００３８】
ただし、ゾーンの形状及びその形状を示すゾーン情報は、上述の正方形及び特定地点の緯度経度と距離でなくてもよく、例えば、円及び特定地点の緯度経度と距離（円の半径）であっても良い。即ち、ゾーンは、特定地点を含む領域であればよい。
【００３９】
本実施形態における移動体管理システムの構成を図１に基づいて説明する。
【００４０】
図１中の移動体管理システムは、ＧＰＳ端末１，携帯電話３，地図表示サービスサーバ４を有し、移動体通信網１００，接続サービス１０１，通信回線１０２を使って、通信を行う。なお、サーバ２は、ＧＰＳ端末１からアクセスされるが、本実施形態の移動体管理システムには直接関係無く、動機付けを与える存在である。また、接続サービス１０１では、電子メールサービスも提供しているものとする。
【００４１】
ＧＰＳ端末１は、図３と同じ構成の他に、電子メールの送受信機能（例えば、制御部１ｃが実行する電子メールの送受信プログラム）を有する。以下の説明で、図３と同じ符号のものの説明は省略する。なお、本実施形態では、ＧＰＳ端末１の通信機能は必須であるため、拡張インタフェース部１ｅには、通信装置１ｆが接続されているものとする。
【００４２】
また、ＧＰＳ端末１には、拡張インタフェース部１ｅの代わりに、通信装置１ｆを直結してあっても良い。ＧＰＳ端末１は、ＧＰＳ端末１内で発生したイベント（例えば、起動，終了）に応じて、不揮発性記憶部１ａに格納されたメッセージを含ませた電子メールを送信する手段を備えていても良い。
【００４３】
携帯電話３は、一般的な携帯電話であって、電子メール送受信機能、携帯電話サイトにアクセス可能なブラウザ機能を備える。本実施形態では、携帯電話３を携帯端末と考えても良い。
【００４４】
図１中の地図表示サービスサーバ４は、緯度経度を受信し、その緯度経度に応じた地図情報を送信するサーバであって、例えば、携帯電話サイトにおける地図表示サービスを提供するサーバである。なお、携帯電話３には、地図表示サービスサーバ４へアクセスするための情報（例えば、ＵＲＬ（Ｕｎｉｆｏｒｍ  Ｒｅｓｏｕｒｃｅ  Ｌｏｃａｔｏｒ））が予め設定されているものとする。
【００４５】
次に、本実施形態の移動体管理システムにおける現在地の地図表示方法とログ表示方法を図１に基づいて説明する。
【００４６】
まず、現在地の地図表示方法とログ表示方法の共通的な前処理を以下のように実行する。
【００４７】
図１中のＧＰＳ端末１の不揮発性記憶部１ａ（例えば、制御部１ｃに内蔵された不揮発性記憶部１ａ）に、携帯電話３に対応する電子メールアドレス，特定地点（目的地点または通過地点）のゾーン情報，そのゾーン情報に応じたメッセージ（例えば、ゾーン通過に応じたメッセージ），ＧＰＳ端末の起動に応じたメッセージ（以下、起動メッセージ）を設定しておく。なお、ゾーン情報とそのゾーン情報に応じたメッセージの組み合わせは、複数設定してあっても良い。メッセージは、電子メールに含ませられる形式のデータであれば何でも良く、例えば、テキストデータ，音声データなどであっても良い。
【００４８】
上述の前処理後の現在地の地図表示方法を以下に説明する。
【００４９】
まず、ＧＰＳ端末１は、その起動を契機に（即ち、ＧＰＳ端末１において、起動イベントが論理的に発生したものと見做し）、通信回線など（例えば、移動体通信網１００，接続サービス１０１，通信回線１０２など）を使ってサーバ２にインストールされたＤＢ管理サーバに接続要求を行うが、サーバから接続許可が得られない（Ｍ１０１）場合は、不揮発性記憶部１ａに設定されている電子メールアドレスに対して起動メッセージを含む電子メール（以下、起動メールという）を送信する（Ｍ１０２）。
【００５０】
次に、起動メールを受信した携帯電話３は、受信した起動メールの送信元電子メールアドレスに対して、内容が空の電子メール（以下、空メールという）を返信する。
【００５１】
次に、空メールを受信したＧＰＳ端末１は、その空メールの送信元電子メールアドレスを確認し、その空メールの送信元電子メールアドレスと同じものが不揮発性記憶部１ａに設定された電子メールアドレスに存在する場合、最新の測位情報から緯度経度を取り出し、その緯度経度を含む電子メールを、空メールの送信元電子メールアドレスに対して（即ち、送信元の携帯電話３に対して）送信する（Ｍ１０２）。
【００５２】
そして、緯度経度を含む電子メールを受信した携帯電話３は、その緯度経度を地図表示サービスサーバ４に送信し、その緯度経度に基づく現在位置の地図情報（例えば、その地図情報を示す画像データ）を取得して携帯電話３の画面に表示させる（Ｍ１０３）。なお、携帯電話３は、例えば、ＨＴＴＰ（ＨｙｐｅｒＴｅｘｔ  Ｔｒａｎｓｆｅｒ  Ｐｒｏｔｏｃｏｌ）で通信し、緯度経度の送信及び地図情報の受信を行っても良い。
【００５３】
上述の現在地の地図表示方法では、起動イベントを契機にしているが、他のイベント（例えば、終了イベント）であっても良い。
【００５４】
以上の現在地の地図表示方法によれば、携帯電話が空メールを返信すれば、その都度ＧＰＳ端末から最新の緯度経度を取得できるため、知りたい時に現在の位置を地図で確認できる。
【００５５】
上述の前処理後のログ表示方法を以下に説明する。なお、ＧＰＳ端末１は、現在地の地図表示方法における起動メールを送信し、携帯電話３が該起動メールを受信済みとする。
【００５６】
まず、ＧＰＳ端末１は、予め設定されたゾーン情報で示されるゾーンに、自身が入ったか否かを定期的にチェックする。
【００５７】
前記ゾーンにＧＰＳ端末１自身が入った（即ち、ゾーンに関するイベントが発生したものと見做す）場合、各ゾーンに応じたメッセージ（例えば、通過メッセージ，到着メッセージ等）を含む電子メールを、不揮発性記憶部１ａに設定された電子メールアドレス（図１中では、携帯電話３の電子メールアドレス）ヘ送信する。
【００５８】
そして、携帯電話３が、ゾーンに応じたメッセージを含む電子メールを受信し、そのメッセージを提示する。
【００５９】
以上のログ表示方法では、ユーザが携帯電話のゾーンに応じたメッセージを含む電子メール自体をログと見做している。そのため、その電子メールのヘッダ情報（例えば、その電子メールの発信時刻などの時刻情報を含むヘッダ情報）を確認すれば、ＧＰＳ端末の起動や通過目的地の到着の時刻を確認できる。また、現在地の地図表示方法と組み合わせれば軌跡管理としても利用できる。
【００６０】
なお、本実施形態における方法の各手順（もしくは各処理）を手段（例えば、コンピュータプログラムにおける手段）として実装し、移動体管理システムを構成しても良い。
【００６１】
以上のように、本実施形態によれば、ほとんどの人に所持され、２４時間使用可能状態にある携帯電話（もしくは、その携帯電話に備えられたアプリケーションプログラムやインターネットサービス）を使用することによって、ＤＢ管理サーバ，地図表示クライアント，地図情報をインストールされたサーバを使用することなく、電子メールアドレスを設定するだけで、２４時間のＧＰＳ端末の監視および最新の現在位置の地図表示できる。
【００６２】
また、２４時間使用可能状態にある（即ち、常に携帯され電源を入れた状態にある）携帯電話を使用することによって、起動，通過，到着などの情報が、ＤＢ管理サーバ，地図表示クライアント，地図情報を使用しなくても、簡易に軌跡管理を可能とする。
【００６３】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。
【図面の簡単な説明】
【００６４】
【図１】本実施形態における移動体管理システムの構成図。
【図２】従来のＧＰＳを使ったサーバクライアント方式の移動体管理システムの概要構成図。
【図３】ＧＰＳ端末の構成の一例を示す図。
【図４】移動体管理システムで使用するゾーンの一例を示す図。
【符号の説明】
【００６５】
１…ＧＰＳ端末
１ａ…不揮発性記憶部
１ｂ…揮発性記憶部
１ｃ…制御部
１ｄ…ＧＰＳモジュール
１ｅ…拡張インタフェース部
１ｆ…通信装置
２…サーバ
３…携帯電話
４…地図表示サービスサーバ
１００…移動体通信網
１０１…回線業者が提供する接続サービス
１０２…ＡＤＳＬや光回線などのインターネットまたは専用線などの通信回線
ＬB…距離
Ｐ…目的地点
Ｑ…正方形領域
【図１】
2009251928.tif 000003
【図２】
2009251928.tif 000004
【図３】
2009251928.tif 000005
【図４】
2009251928.tif 000006